【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
径方向外側に突出する第一スラストカラーと第二スラストカラーが形成され、軸方向に延在するロータと、
前記第一スラストカラーを介して前記軸方向にかかる荷重を受け止める第一スラスト軸受装置と、
前記第二スラストカラーを介して前記軸方向にかかる荷重を受け止める第二スラスト軸受装置と、
前記第一スラスト軸受装置と第二スラスト軸受装置の少なくとも一方にかかる荷重を制御する荷重制御装置と、を備え、
前記第二スラスト軸受装置は、前記第二スラストカラーの前記軸方向を向く面を支持する第二スラスト軸受本体を有し、
前記荷重制御装置は、前記第二スラスト軸受本体を前記軸方向に押圧する駆動装置を有し、
前記第二スラスト軸受本体は、前記第二スラストカラーからの荷重を支持する軸受パッドと、前記軸受パッドを支持するキャリアリングと、を有し、
前記駆動装置は、前記軸受パッドを押圧する回転機械。
【請求項２】
前記第二スラスト軸受本体は、前記第二スラストカラーの前記軸方向の片側にのみ配置されている請求項１に記載の回転機械。
【請求項３】
前記第一スラスト軸受装置は、前記第一スラストカラーの前記軸方向を向く面を支持する第一スラスト軸受本体を有し、前記第一スラスト軸受本体は、前記第一スラストカラーの前記軸方向の両側に配置されている請求項２に記載の回転機械。
【請求項４】
径方向外側に突出する第一スラストカラーと第二スラストカラーが形成され、軸方向に延在するロータと、
前記第一スラストカラーを介して前記軸方向にかかる荷重を受け止める第一スラスト軸受装置と、
前記第二スラストカラーを介して前記軸方向にかかる荷重を受け止める第二スラスト軸受装置と、
前記第一スラスト軸受装置と第二スラスト軸受装置の少なくとも一方にかかる荷重を制御する荷重制御装置と、を備え、
前記第二スラスト軸受本体は、前記第二スラストカラーの前記軸方向の片側にのみ配置され、
前記第一スラスト軸受装置は、前記第一スラストカラーの前記軸方向を向く面を支持する第一スラスト軸受本体を有し、前記第一スラスト軸受本体は、前記第一スラストカラーの前記軸方向の両側に配置されている回転機械。
【請求項５】
前記第二スラスト軸受本体は、前記第二スラストカラーからの荷重を支持する軸受パッドと、前記軸受パッドを支持するキャリアリングと、を有し、
前記駆動装置は、前記キャリアリングを押圧する請求項４に記載の回転機械。
【請求項６】
前記荷重制御装置は、
前記駆動装置に油を供給する第一油供給系統と、
前記油の油圧を制御する制御器と、を有し、
前記駆動装置は、前記油圧によって前記第二スラスト軸受本体を前記第二スラスト軸受装置にかかる荷重の方向とは逆方向に押圧する請求項１から請求項５のいずれか一項に記載の回転機械。
【請求項７】
前記駆動装置は、前記第二スラスト軸受本体を押圧する押圧部を有する駆動ロッドと、
前記押圧部が前記第二スラスト軸受本体から離れる方向に前記駆動ロッドを付勢する弾性部材と、を備える請求項６に記載の回転機械。
【請求項８】
径方向外側に突出する第一スラストカラーと第二スラストカラーが形成され、軸方向に延在するロータと、
前記第一スラストカラーを介して前記軸方向にかかる荷重を受け止める第一スラスト軸受装置と、
前記第二スラストカラーを介して前記軸方向にかかる荷重を受け止める第二スラスト軸受装置と、
前記第一スラスト軸受装置と第二スラスト軸受装置の少なくとも一方にかかる荷重を制御する荷重制御装置と、を備え、
前記荷重制御装置は、
前記駆動装置に油を供給する第一油供給系統と、
前記油の油圧を制御する制御器と、を有し、
前記駆動装置は、前記油圧によって前記第二スラスト軸受本体を前記第二スラスト軸受装置にかかる荷重の方向とは逆方向に押圧し、
前記駆動装置は、前記第二スラスト軸受本体を押圧する押圧部を有する駆動ロッドと、
前記押圧部が前記第二スラスト軸受本体から離れる方向に前記駆動ロッドを付勢する弾性部材と、を備える回転機械。
【請求項９】
前記第二スラスト軸受本体は、前記第二スラストカラーからの荷重を支持する軸受パッドと、前記軸受パッドを支持するキャリアリングと、を有し、
前記駆動装置は、前記キャリアリングを押圧する請求項８に記載の回転機械。
【請求項１０】
前記第二スラスト軸受本体は、前記第二スラストカラーの前記軸方向の片側にのみ配置されている請求項８又は請求項９に記載の回転機械。
【請求項１１】
前記第一スラスト軸受装置と前記第二スラスト軸受装置の少なくとも一方は、前記スラストカラーの前記軸方向を向く面と対面する軸受パッドを有し、
前記軸受パッドと前記スラストカラーの軸方向を向く面との間に潤滑油を供給する第二油供給系統を有する請求項１から請求項１０のいずれか一項に記載の回転機械。
【請求項１２】
請求項１から請求項１１のいずれか一項に記載の回転機械において、
主に第一スラスト軸受で前記荷重を受け止める第一運転工程と、
前記荷重を監視する荷重監視工程と、
前記荷重が予め定められた値に達した場合に前記第一スラスト軸受および前記第二スラスト軸受で前記荷重を受け止める第二運転工程と、
を有する回転機械の制御方法。
【手続補正２】
【補正対象書類名】明細書
【補正対象項目名】０００６
【補正方法】変更
【補正の内容】
【０００６】
本発明の第一の態様によれば、回転機械は、径方向外側に突出する第一スラストカラーと第二スラストカラーが形成され、軸方向に延在するロータと、前記第一スラストカラーを介して前記軸方向にかかる荷重を受け止める第一スラスト軸受装置と、前記第二スラストカラーを介して前記軸方向にかかる荷重を受け止める第二スラスト軸受装置と、前記第一スラスト軸受装置と第二スラスト軸受装置の少なくとも一方にかかる荷重を制御する荷重制御装置と、を備え、前記第二スラスト軸受装置は、前記第二スラストカラーの前記軸方向を向く面を支持する第二スラスト軸受本体を有し、前記荷重制御装置は、前記第二スラスト軸受本体を前記軸方向に押圧する駆動装置を有し、前記第二スラスト軸受本体は、前記第二スラストカラーからの荷重を支持する軸受パッドと、前記軸受パッドを支持するキャリアリングと、を有し、前記駆動装置は、前記軸受パッドを押圧する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１５
【補正方法】変更
【補正の内容】
【００１５】
本発明の第二の態様によれば、回転機械は、径方向外側に突出する第一スラストカラーと第二スラストカラーが形成され、軸方向に延在するロータと、前記第一スラストカラーを介して前記軸方向にかかる荷重を受け止める第一スラスト軸受装置と、前記第二スラストカラーを介して前記軸方向にかかる荷重を受け止める第二スラスト軸受装置と、前記第一スラスト軸受装置と第二スラスト軸受装置の少なくとも一方にかかる荷重を制御する荷重制御装置と、を備え、前記第二スラスト軸受本体は、前記第二スラストカラーの前記軸方向の片側にのみ配置され、前記第一スラスト軸受装置は、前記第一スラストカラーの前記軸方向を向く面を支持する第一スラスト軸受本体を有し、前記第一スラスト軸受本体は、前記第一スラストカラーの前記軸方向の両側に配置されている。
上記回転機械において、前記荷重制御装置は、前記駆動装置に油を供給する第一油供給系統と、前記油の油圧を制御する制御器と、を有し、前記駆動装置は、前記油圧によって前記第二スラスト軸受本体を前記第二スラスト軸受装置にかかる荷重の方向とは逆方向に押圧する構成としてもよい。
【手続補正７】
【補正対象書類名】明細書
【補正対象項目名】００１８
【補正方法】変更
【補正の内容】
【００１８】
本発明の第三の態様によれば、回転機械は、径方向外側に突出する第一スラストカラーと第二スラストカラーが形成され、軸方向に延在するロータと、前記第一スラストカラーを介して前記軸方向にかかる荷重を受け止める第一スラスト軸受装置と、前記第二スラストカラーを介して前記軸方向にかかる荷重を受け止める第二スラスト軸受装置と、前記第一スラスト軸受装置と第二スラスト軸受装置の少なくとも一方にかかる荷重を制御する荷重制御装置と、を備え、前記荷重制御装置は、前記駆動装置に油を供給する第一油供給系統と、前記油の油圧を制御する制御器と、を有し、前記駆動装置は、前記油圧によって前記第二スラスト軸受本体を前記第二スラスト軸受装置にかかる荷重の方向とは逆方向に押圧し、前記駆動装置は、前記第二スラスト軸受本体を押圧する押圧部を有する駆動ロッドと、前記押圧部が前記第二スラスト軸受本体から離れる方向に前記駆動ロッドを付勢する弾性部材と、を備える。
上記回転機械において、前記第一スラスト軸受本体と前記第二スラスト軸受本体の少なくとも一方は、前記スラストカラーの前記軸方向を向く面と対面する軸受パッドを有し、前記軸受パッドと前記スラストカラーの軸方向を向く面との間に循環油を供給する第二油供給系統を有してよい。
【手続補正８】
【補正対象書類名】明細書
【補正対象項目名】００２０
【補正方法】変更
【補正の内容】
【００２０】
本発明の第四の態様によれば、回転機械の制御方法は、軸方向に延在するロータと、前記ロータに前記軸方向にかかる荷重を受け止める第一スラスト軸受および第二スラスト軸受と、を備える回転機械において、主に第一スラスト軸受で前記荷重を受け止める第一運転工程と、前記荷重を監視する荷重監視工程と、前記荷重が予め定められた値に達した場合に前記第一スラスト軸受および前記第二スラスト軸受で前記荷重を受け止める第二運転工程と、を有する。